(57)【特許請求の範囲】
【請求項１】
エレベータの機械室床面上に固定されるマシンビームと、このマシンビームに締結され、前記マシンビームの上面フランジ上に設置され第１貫通穴を有する下面板、及びこの下面板上に設けられる防振体を含む防振具と、この防振具の上方に配置されるマシンベースと、前記防振具の前記下面板と前記マシンビームの前記上面フランジとを締結する締結手段とを備え、前記マシンベース上に巻上機を取り付けるようにしたエレベータの巻上機支持構造において、
前記マシンビームの前記上面フランジに第２貫通穴を設け、
前記防振具の前記下面板との間で、前記マシンビームの前記上面フランジを狭圧するように配置され、前記防振具の前記下面板の前記第１貫通穴と同芯の第３貫通穴と、前記マシンビームの前記上面フランジの前記第２貫通穴と同芯の第４貫通穴とを有する防振プレートと、
前記防振プレートと前記防振具の前記下面板との間に配置され、前記防振具の前記下面板の前記第１貫通穴、及び前記防振プレートの前記第３貫通穴と同芯の第５貫通穴を有する介設プレートとを備えるとともに、
前記締結手段は、
前記防振具の前記下面板の前記第１貫通穴、前記防振プレートの前記第３貫通穴、及び前記介設プレートの前記第５貫通穴に挿入されるボルトと、このボルトに螺合するナットとを含み、前記防振具の前記下面板と前記介設プレートと前記防振プレートとを互いに締結する締結具と、
前記マシンビームの前記上面フランジの前記第２貫通穴と前記防振プレートの前記第４貫通穴に挿入されるボルトと、このボルトに螺合するナットを含み、前記マシンビームの前記上面フランジと前記防振プレートとを互いに締結する締結具とを有することを特徴とするエレベータの巻上機支持構造。
【請求項２】
請求項１に記載のエレベータの巻上機支持構造において、
前記防振具の前記下面板の前記第１貫通穴は、前記下面板の一方の側端近傍部に設けられる第１貫通穴と、前記下面板の他方の側端近傍部に設けられる第１貫通穴とから成り、
前記防振プレートは、前記防振具の前記下面板の前記他方の側端近傍部との間で、前記マシンビームの前記上面フランジの他方の側端近傍部を狭圧するように配置されるものから成り、
前記介設プレートは、前記防振プレートと前記防振具の前記下面板の前記他方の側端近傍部との間に配置されるものから成り、
前記締結手段は、
前記下面板の前記一方の側端近傍部に設けた前記第１貫通穴に挿入されるボルトと、このボルトに螺合するナットと、これらのボルトとナットとの間に介設され、前記下面板の一方の側端近傍部付近に位置する前記マシンビームの前記上面フランジの一方の側端近傍部と、前記下面板の前記一方の側端近傍部とを締結するクリップとを含む締結具と、
前記防振具の前記下面板の前記他方の側端近傍部に設けた第１貫通穴、前記防振プレートの前記第３貫通穴、及び前記介設プレートの前記第５貫通穴に挿入されるボルトと、このボルトに螺合するナットとを含み、前記防振具の前記下面板の前記他方の側端近傍部と前記介設プレートと前記防振プレートとを互いに締結する締結具と、
前記マシンビームの前記上面フランジの前記他方の側端近傍部に設けた第２貫通穴と前記防振プレートの前記第４貫通穴に挿入されるボルトと、このボルトに螺合するナットとを含み、前記マシンビームの前記上面フランジの前記他方の側端近傍部と前記防振プレートとを締結する締結具とを有することを特徴とするエレベータの巻上機支持構造。
【請求項３】
請求項１に記載のエレベータの巻上機支持構造において、
前記防振具の前記下面板の前記第１貫通穴は、前記下面板の一方の側端近傍部に設けられる第１貫通穴と、前記下面板の他方の側端近傍部に設けられる第１貫通穴とから成り、
前記防振プレートは、前記防振具の前記下面板の前記一方の側端近傍部との間で、前記マシンビームの前記上面フランジの一方の側端近傍部を狭圧するように配置される第１防振プレートと、前記防振具の前記下面板の前記他方の側端近傍部との間で、前記マシンビームの前記上面フランジの他方の側端近傍部を狭圧するように配置される第２防振プレートとから成り、
前記介設プレートは、前記第１防振プレートと前記防振具の前記下面板の前記一方の側端近傍部との間に配置される第１介設プレートと、前記第２防振プレートと前記防振具の前記下面板の前記他方の側端近傍部との間に配置される第２介設プレートとから成り、
前記締結手段は、
前記防振具の前記下面板の前記一方の側端近傍部に設けた第１貫通穴、前記第１防振プレートの前記第３貫通穴、及び前記第１介設プレートの前記第５貫通穴に挿入されるボルトと、このボルトに螺合するナットとを含み、前記防振具の前記下面板の前記一方の側端近傍部と前記第１介設プレートと前記第１防振プレートとを互いに締結する締結具と、
前記防振具の前記下面板の前記他方の側端近傍部に設けた第１貫通穴、前記第２防振プレートの前記第３貫通穴、及び前記第２介設プレートの前記第５貫通穴に挿入されるボルトと、このボルトに螺合するナットとを含み、前記防振具の前記下面板の前記他方の側端近傍部と前記第２介設プレートと前記第２防振プレートとを互いに締結する締結具と、
前記マシンビームの前記上面フランジの前記一方の側端近傍部に設けた前記第２貫通穴と前記第１防振プレートの前記第４貫通穴に挿入されるボルトと、このボルトに螺合するナットとを含み、前記マシンビームの前記上面フランジの前記一方の側端近傍部と前記第１防振プレートとを互いに締結する締結具と、
前記マシンビームの前記上面フランジの前記他方の側端近傍部に設けた前記第２貫通穴と前記第２防振プレートの前記第４貫通穴に挿入されるボルトと、このボルトに螺合するナットとを含み、前記マシンビームの前記上面フランジの前記他方の側端近傍部と前記第２防振プレートとを互いに締結する締結具とを有することを特徴とするエレベータの巻上機支持構造。
【請求項４】
請求項３に記載のエレベータの巻上機支持構造において、
前記第１防振プレートと前記第２防振プレートは、一体構造物から成ることを特徴とするエレベータの巻上機支持構造。
【発明の詳細な説明】
【技術分野】
【０００１】
本発明は、マシンビーム上に設置された防振具を介して、この防振具の上方に配置されるマシンベース上に巻上機を取り付けるようにしたエレベータの巻上機支持構造に関する。
【背景技術】
【０００２】
図４は従来の支持構造によって巻上機が機械室床面上に取り付けられた状態を示す図、図５は図４に示す従来のエレベータの巻上機支持構造の要部構成を示す平面図、図６は図５のＢ−Ｂ矢視に相応する断面図である。
【０００３】
図４に示すように、エレベータにあっては、昇降路の上部に設けられた機械室床面１上にマシンビーム２が固定される。このマシンビーム２の上面フランジ上に設けた防振具３の上に、例えばマシンベース受け部７が配置され、このマシンベース受け部７によってマシンベース４が保持されている。このマシンベース４上に、乗りかごや釣り合いおもりの昇降に活用されワイヤロープを駆動する巻上機５が取り付けられている。
【０００４】
図５，６に示すように、防振具３は、マシンビーム２の上面フランジ上に配置される下面板３ｃと、この下面板３ｃに対向するように配置される上面板３ｂと、これらの下面板３ｃと上面板３ｂとの間に配置され、防振ゴムから成る防振体３ａとを含んでいる。また、マシンビーム２の上面フランジと防振具３の下面板３ｃとを固定する締結具６は、防振具３の下面板３ｃに形成された貫通穴に挿入されるボルト６ｂと、このボルト６ｂに螺合するナット６ｃと、これらのボルト６ｂとナット６ｃとの間に設けられ、マシンビーム２の上面フランジと防振具３の下面板３ｃとを締結するクリップ６ａとを含んでいる。この締結具６は、マシンビーム２の上面フランジの一方の側端近傍部と、他方の側端近傍部の双方に設けられている。この種の従来技術が特許文献１に示されている。
【先行技術文献】
【特許文献】
【０００５】
【特許文献１】特開昭５５−１０６９８１号公報
【発明の概要】
【発明が解決しようとする課題】
【０００６】
前述した図４〜６に示す従来技術は、地震等によってマシンビーム２の上面フランジの延設方向に沿う水平方向に作用する力に対しては、防振具３の下面板３ｃの動きが、それぞれの締結具６に含まれるボルト６ｂの軸部によって阻止されるので、マシンビーム２に対して防振具３が位置ずれを生じることなく保たれる。しかし、マシンビーム２の上面フランジの延設方向に直交する上下方向に作用する力に対しては、上面フランジの両側端近傍部にそれぞれ配置された締結具６のクリップ６ａに緩みを生じて、マシンビーム２に対する防振具３の位置ずれを生じ、これに伴って防止具３の上方に配置される巻上機５に位置ずれを生じる懸念がある。また、巻上機５の倒れ方向に作用するモーメント荷重に対しても、締結具６のクリップ６ａに緩みを生じやすく、これに伴って巻上機５が傾いたり、移動したりする懸念がある。
【０００７】
なお、前述した巻上機支持構造を有する既設のエレベータにあって、前述のようにマシンビーム２に対する防振具３の位置ずれを生じたときには、乗りかご及び釣り合いおもりを固定した状態で巻上機５を吊りあげて、防振具３の交換や、防振具３の位置調整作業を行わなければならず、大掛かりな作業となってしまう。
【０００８】
本発明は、前述した従来技術における実状からなされたもので、その目的は、地震等によってマシンビームと防振具との間に、水平方向、上下方向、巻上機を倒す方向のいずれかの力が作用したときでも、マシンビームと防振具とを堅牢な締結状態に保持することができるエレベータの巻上機支持構造を提供することにある。
【課題を解決するための手段】
【０００９】
前記目的を達成するために、本発明に係るエレベータの巻上機支持構造は、エレベータの機械室床面上に固定されるマシンビームと、このマシンビームに締結され、前記マシンビームの上面フランジ上に設置され第１貫通穴を有する下面板、及びこの下面板上に設けられる防振体を含む防振具と、この防振具の上方に配置されるマシンベースと、前記防振具の前記下面板と前記マシンビームの前記上面フランジとを締結する締結手段とを備え、前記マシンベース上に巻上機を取り付けるようにしたエレベータの巻上機支持構造において、前記マシンビームの前記上面フランジに第２貫通穴を設け、前記防振具の前記下面板との間で、前記マシンビームの前記上面フランジを狭圧するように配置され、前記防振具の前記下面板の前記第１貫通穴と同芯の第３貫通穴と、前記マシンビームの前記上面フランジの前記第２貫通穴と同芯の第４貫通穴とを有する防振プレートと、前記防振プレートと前記防振具の前記下面板との間に配置され、前記防振具の前記下面板の前記第１貫通穴、及び前記防振プレートの前記第３貫通穴と同芯の第５貫通穴を有する介設プレートとを備えるとともに、前記締結手段は、前記防振具の前記下面板の前記第１貫通穴、前記防振プレートの前記第３貫通穴、及び前記介設プレートの前記第５貫通穴に挿入されるボルトと、このボルトに螺合するナットとを含み、前記防振具の前記下面板と前記介設プレートと前記防振プレートとを互いに締結する締結具と、前記マシンビームの前記上面フランジの前記第２貫通穴と前記防振プレートの前記第４貫通穴に挿入されるボルトと、このボルトに螺合するナットを含み、前記マシンビームの前記上面フランジと前記防振プレートとを互いに締結する締結具とを有することを特徴としている。
【００１０】
このように構成した本発明は、防振具の下面板との間で、マシンビームの上面フランジを挟むように配置される防振プレートと、防振具の下面板と防振プレートとの間に形成される隙間を埋める介設プレートとを備えるとともに、防振具の下面板と介設プレートと防振プレートとを互いに締結するボルト、ナットを含む締結具を設けたことにより、防振具の下面板と介設プレートと防振プレートとを一体構造物に形成することができる。また、マシンビームの上面フランジと防振プレートとを互いに締結するボルト、ナットを含む締結具を設けたことにより、前述した防振具の下面板と介設プレートと防振プレートとを含む一体構造物と、マシンビームの上面フランジとを一体構造物とすることができる。
【００１１】
このように構成したことにより、前述の２つの締結具のそれぞれに含まれるボルト、ナットの協働による大きな締結力を介して、防振具の下面板をマシンビームの上面フランジに締結することができる。これにより、地震等によってマシンビームと防振具との間に、水平方向、上下方向、巻上機を倒す方向のいずれかの力が作用したときでも、これらのマシンビーと防振具とを堅牢な締結状態に保持することができ、マシンビームと防振具との間の地震等に伴う位置ずれを防ぐことができる。
【００１２】
なお、既設のエレベータに本発明を適用する際には、既設のエレベータに設けられる締結具のナットを緩めてボルトから外し、これらのボルトとナットとともにマシンビームの上面フランジと防振具の下面板とを締結していたクリップを取り外すようにする。ここで例えば、マシンビームの上面フランジに第２貫通穴を穿設する。
【００１３】
この状態において、第５貫通穴を防振具の下面板の第１貫通穴に適合させるように介設プレートを配置し、さらに介設プレートの第５貫通穴に適合するように第３貫通穴を位置させ、また、マシンビームの上面フランジの第２貫通穴に適合するように第４貫通穴を位置させて防振プレートを配置する。そして、防振プレートの第３貫通穴、介設プレートの第５貫通穴、防振具の下面板の第１貫通穴に、締結具に含まれるボルトを挿入し、このボルトにナットを螺合させ、ナットを締め付ける。これによって、前述の一体構造物をマシンビームの上面フランジに締結することができる。すなわち、防振具の下面板と介設プレートと防振プレートとを含む一体構造物と、マシンビームの上面フランジとを一体構造部に形成することができる。このような防振プレート、介設プレートの配置作業、及び締結具による締結作業を巻上機の吊りあげ作業を要することなく、簡単に行うことができる。
【００１４】
また本発明は、前記発明において、前記防振具の前記下面板の前記第１貫通穴は、前記下面板の一方の側端近傍部に設けられる第１貫通穴と、前記下面板の他方の側端近傍部に設けられる第１貫通穴とから成り、前記防振プレートは、前記防振具の前記下面板の前記他方の側端近傍部との間で、前記マシンビームの前記上面フランジの他方の側端近傍部を狭圧するように配置されるものから成り、前記介設プレートは、前記防振プレートと前記防振具の前記下面板の前記他方の側端近傍部との間に配置されるものから成り、前記締結手段は、前記下面板の前記一方の側端近傍部に設けた前記第１貫通穴に挿入されるボルトと、このボルトに螺合するナットと、これらのボルトとナットとの間に介設され、前記下面板の一方の側端近傍部付近に位置する前記マシンビームの前記上面フランジの一方の側端近傍部と、前記下面板の前記一方の側端近傍部とを締結するクリップとを含む締結具と、前記防振具の前記下面板の前記他方の側端近傍部に設けた第１貫通穴、前記防振プレートの前記第３貫通穴、及び前記介設プレートの前記第５貫通穴に挿入されるボルトと、このボルトに螺合するナットとを含み、前記防振具の前記下面板の前記他方の側端近傍部と前記介設プレートと前記防振プレートとを互いに締結する締結具と、前記マシンビームの前記上面フランジの前記他方の側端近傍部に設けた第２貫通穴と前記防振プレートの前記第４貫通穴に挿入されるボルトと、このボルトに螺合するナットとを含み、前記マシンビームの前記上面フランジの前記他方の側端近傍部と前記防振プレートとを締結する締結具とを有することを特徴としている。
【００１５】
このように構成した本発明は、既設のエレベータに本発明を適用する場合には、既設の締結具の一方のみを本発明の締結具に交換すればよいので、作業を簡単に行うことができる。
【００１６】
また本発明は、前記発明において、前記防振具の前記下面板の前記第１貫通穴は、前記下面板の一方の側端近傍部に設けられる第１貫通穴と、前記下面板の他方の側端近傍部に設けられる第１貫通穴とから成り、前記防振プレートは、前記防振具の前記下面板の前記一方の側端近傍部との間で、前記マシンビームの前記上面フランジの一方の側端近傍部を狭圧するように配置される第１防振プレートと、前記防振具の前記下面板の前記他方の側端近傍部との間で、前記マシンビームの前記上面フランジの他方の側端近傍部を狭圧するように配置される第２防振プレートとから成り、前記介設プレートは、前記第１防振プレートと前記防振具の前記下面板の前記一方の側端近傍部との間に配置される第１介設プレートと、前記第２防振プレートと前記防振具の前記下面板の前記他方の側端近傍部との間に配置される第２介設プレートとから成り、前記締結手段は、前記防振具の前記下面板の前記一方の側端近傍部に設けた第１貫通穴、前記第１防振プレートの前記第３貫通穴、及び前記第１介設プレートの前記第５貫通穴に挿入されるボルトと、このボルトに螺合するナットとを含み、前記防振具の前記下面板の前記一方の側端近傍部と前記第１介設プレートと前記第１防振プレートとを互いに締結する締結具と、前記防振具の前記下面板の前記他方の側端近傍部に設けた第１貫通穴、前記第２防振プレートの前記第３貫通穴、及び前記第２介設プレートの前記第５貫通穴に挿入されるボルトと、このボルトに螺合するナットとを含み、前記防振具の前記下面板の前記他方の側端近傍部と前記第２介設プレートと前記第２防振プレートとを互いに締結する締結具と、前記マシンビームの前記上面フランジの前記一方の側端近傍部に設けた前記第２貫通穴と前記第１防振プレートの前記第４貫通穴に挿入されるボルトと、このボルトに螺合するナットとを含み、前記マシンビームの前記上面フランジの前記一方の側端近傍部と前記第１防振プレートとを互いに締結する締結具と、前記マシンビームの前記上面フランジの前記他方の側端近傍部に設けた前記第２貫通穴と前記第２防振プレートの前記第４貫通穴に挿入されるボルトと、このボルトに螺合するナットとを含み、前記マシンビームの前記上面フランジの前記他方の側端近傍部と前記第２防振プレートとを互いに締結する締結具とを有することを特徴としている。
【００１７】
このように構成した本発明は、締結具の数を増やすことにより、さらに堅牢な巻上機支持構造を実現させることができる。
【００１８】
また本発明は、前記発明において、前記第１防振プレートと前記第２防振プレートは、一体構造物から成ることを特徴とするエレベータのことを特徴としている。
【００１９】
このように構成した本発明は、部品数を低減できるとともに、防振プレートの設置作業を容易に行うことができる。
【発明の効果】
【００２０】
本発明は、防振具の下面板と介設プレートと防振プレートとを締結する締結具と、防振プレートとマシンビームの上面フランジとを締結する締結具のそれぞれに含まれるボルトとナットの協働による大きな締結力を介して、防振具の下面板をマシンビームの上面フランジに締結することができる。これによって、地震等によってマシンビームと防振具との間に水平方向、上下方向、巻上機を倒す方向のいずれかの力が作用したときでも、これらのマシンビームと防振具とを堅牢な締結状態に保持することができる。したがって本発明は、マシンビームと防振具との間の地震等に伴う位置ずれを防ぐことができ、従来生じる懸念のあった巻上機の位置ずれや倒れを防止することができる。すなわち本発明は、地震等に伴って巻上機に作用する力に対して従来よりも強固な巻上機支持構造を実現させることができる。
【図面の簡単な説明】
【００２１】
【図１】本発明に係るエレベータの巻上機支持構造の一実施形態の要部構成を示す平面図である。
【図２】図１のＡ−Ａ矢視に相応する断面図である。
【図３】図２の要部拡大図である。
【図４】従来の支持構造によって巻上機が機械室床面上に取り付けられた状態を示す図である。
【図５】図４に示す従来のエレベータの巻上機支持構造の要部構成を示す平面図である。
【図６】図５のＢ−Ｂ矢視に相応する断面図である。
【発明を実施するための形態】
【００２２】
以下、本発明に係るエレベータの巻上機支持構造の実施の形態を図に基づいて説明する。
【００２３】
図１は本発明に係るエレベータの巻上機支持構造の一実施形態の要部構成を示す平面図、図２は図１のＡ−Ａ矢視に相応する断面図、図３は図２の要部拡大図である。
【００２４】
本実施形態に係る巻上機支持構造も、防振体３とマシンビーム２の上面フランジとの接続部分を除けば、例えば前述した図４に示すものと同様にして巻上機５を支持する構成となっている。すなわち、本実施形態も、エレベータの機械室床面１上に固定されるマシンビーム２と、このマシンビーム２に締結され、マシンビーム２の上面フランジ上に載置される後述の第１貫通穴３ｃ１，３ｃ２を有する下面板３ｃ、及びこの下面板３ｃ上に設けられる例えば防振ゴムから成る防振体３ａを含む防振具３とを備えている。また本実施形態も、防振具３の上方に例えばマシンベース受け部７を介して配置されるマシンベース４と、防振具３の下面板３ｃをマシンビーム２の上面フランジに締結する締結手段とを備えており、マシンベース４上に巻上機５を取り付けた構成にしてある。
【００２５】
上述した基本構成とともに、本実施形態では、マシンビーム２の上面フランジの他方の側端近傍部に、図３に示すように第２貫通穴２ａを設けてある。
【００２６】
また本実施形態は、同図３に示すように、防振具３の下面板３ｃの第１貫通穴は、下面板３ｃの一方の側端近傍部に設けた第１貫通穴３ｃ１と，下面板３ｃの他方の側端近傍部に設けた第２貫通穴３ｃ２とから成っている。
【００２７】
また本実施形態は、例えばそれぞれ防振具３の下面板３ｃの他方の側端近傍部に配置される防振プレート１１と、介設プレート９とを備えている。
【００２８】
防振プレート１１は、防振具３の下面板３ｃの他方の側端近傍部との間でマシンビーム２の上面フランジの他方の側端近傍部を狭圧するように配置され、防振具３の下面板３ｃの２つの第１貫通穴のうちの第１貫通穴３ｃ２と同芯の第３貫通穴１１ａと、マシンビーム２の上面フランジの他方の側端近傍部の第２貫通穴２ａと同芯の第４貫通穴１１ｂを有する板状体から成っている。
【００２９】
介設プレート９は、防振プレート１１と防振具３の下面板３ｃの他方の側端近傍部との間に配置され、防振具３の下面板３ｃの第１貫通穴３ｃ２、及び防振プレート１１の第３貫通穴１１ａと同芯の第５貫通穴９ａを有する板状体から成っている。
【００３０】
防振具３の下面板３ｃとマシンビーム２の上面フランジとを締結する締結手段は、以下に述べるように３つの締結具を含んでいる。
【００３１】
締結具６、すなわち第１締結具６は、前述した図４〜６に示した従来技術と同等のものであり、防振具３の下面板３ｃの一方の側端近傍部に設けた第１貫通穴３ｃ１に挿入されるボルト６ｂと、このボルト６ｂに螺合するナット６ｃと、これらのボルト６ｂとナット６ｃとの間に介設され、下面板３ｃの一方の側端近傍部付近に位置するマシンビーム２の上面フランジの一方の側端近傍部と、下面板３ｃの一方の側端近傍部とを締結するクリップ６ａとを含んでいる。
【００３２】
第２締結具１０は、防振具３の下面板３ｃの他方の側端近傍部に設けた第１貫通穴３ｃ２、防振プレート１１の第３貫通穴１１ａ、及び介設プレート９の第５貫通穴９ａに挿入されるボルト１０ａと、このボルト１０ａに螺合するナット１０ｂとを含み、防振具３の下面板３ｃの他方の側端近傍部と介設プレート９と防振プレート１１とを互いに締結する。
【００３３】
第３締結具８は、マシンビーム２の上面フランジの他方の側端近傍部に設けた第２貫通穴２ａと防振プレート１１の第４貫通穴１１ｂに挿入されるボルト８ａと、このボルト８ａに螺合するナット８ｂを含み、マシンビーム２の上面フランジの他方の側端近傍部と防振プレート１１とを互いに締結する。
【００３４】
このように構成した本実施形態は、防振具３の下面板３ｃの他方の側端近傍部との間で、マシンビーム２の上面フランジの他方の側端近傍部を挟むように配置される防振プレート１１と、防振具３の下面板３ｃの他方の側端近傍部と防振プレート１１との間に形成される隙間を埋める介設プレート９を備えるとともに、防振具３の下面板３ｃの他方の側端近傍部と介設プレート９と防振プレート１１とを互いに締結するボルト１０ａ、ナット１０ｂを含む第２締結具１０を設けたことにより、防振具３の下面板３ｃの他方の側端近傍部と介設プレート９と防振プレート１１とを一体構造物に形成することができる。また、マシンビーム２の上面フランジの他方の側端近傍部と防振プレート１１を互いに締結するボルト８ａ、ナット８ｂを含む第３締結具８を設けたことにより、前述した防振具３の下面板３ｃと介設プレート９と防振プレート１１を含む一体構造物と、マシンビームの上面フランジの他方の側端近傍部とを一体構造物とすることができる。
【００３５】
このように構成したことによって本実施形態は、防振具３の下面板３ｃの他方の側端近傍部側、及びマシンビーム２の上面フランジの他方の側端近傍部側においては、第２締結具１０に含まれるボルト１０ａ、ナット１０ｂ、第３締結具８に含まれるボルト８ａ、ナット８ｂのそれぞれの協働による大きな締結力を介して、防振具３の下面板３ｃをマシンビーム２の上面フランジに締結することができる。なお、防振具３の下面板３ｃの一方の側端近傍部側、及びマシンビーム２の上面フランジの一方の側端近傍部側においては、従来技術と同様に第１締結具６によって、防振具３の下面板３ｃをマシンビーム２の上面フランジに締結することができる。
【００３６】
これにより本実施形態は、地震等によってマシンビーム２と防振具３との間に、水平方向、上下方向、巻上機５を倒す方向のいずれかの力が作用したときに、これらのマシンビーム２と防振具３とを堅牢な締結状態に保持することができ、マシンビーム２と防振具３との間の地震等に伴う位置ずれを防ぐことができる。したがって、巻上機５の位置ずれ、及び倒れを防止でき、地震等に伴って巻上機５に作用する力に対して強固な巻上機５の支持構造を実現させることができる。
【００３７】
また本実施形態によれば、既設のエレベータに適用する場合には、既設の２つの第１締結具６のうちの一方のみを交換すればよいので、作業を簡単に行うことができる。
【００３８】
また、既設のエレベータに本実施形態を適用する際には、既設のエレベータに設けられる２つの第１締結具６のうちの他方の第１締結具６のナット６ｃを緩めてボルト６ｂから外し、これらのボルト６ｂ、ナット６ｃとともにマシンビーム６の上面フランジの他方の側端近傍部と防振具３の下面板３ｃの他方の側端近傍部とを締結していたクリップ６ａを取り外す。ここで例えば、マシンビーム２の上面フランジの他方の側端近傍部に、防振プレート１１の第４貫通穴１１ｂに適合する第２貫通穴２ａを穿設する。
【００３９】
この状態において、第５貫通穴９ａを防振具３の下面板３ｃの第１貫通穴３ｃ２に適合させるように介設プレート９を配置し、さらに介設プレート９の第５貫通穴９ａに適合するように第３貫通穴１１ａを位置させるとともに、マシンビーム２の上面フランジの第２貫通穴２ａに適合するように第４貫通穴１１ｂを位置させて防振プレート１１を配置する。そして、防振プレート１１の第３貫通穴１１ａ、介設プレート９の第５貫通穴９ａ、防振具３の下面板３ｃの第１貫通穴３ｃ２に第２締結具１０に含まれるボルト１０ａを挿入し、このボルト１０ａにナット１０ｂを螺合させ、ナット１０ｂを締め付ける。これによって、防振具３の下面板３ｃと介設プレート９と防振プレート１１を互いに締結し、これらの防振具３の下面板３ｃと介設プレート９と防振プレート１１とを一体構造物に形成することができる。
【００４０】
また、防振プレート１１の第４貫通穴１１ｂとマシンビーム２の上面フランジの第２貫通穴２ａに、第３締結具８に含まれるボルト８ａを挿入し、このボルト８ａにナット８ｂを螺合させ、ナット８ｂを締め付ける。これによって前述の一体構造物をマシンビーム２の上面フランジに締結することができる。すなわち、防振具３の下面板３ｃと介設プレート９と防振プレート１１を含む一体構造物と、マシンビーム２の上面フランジとを一体構造物に形成することができる。このような防振プレート１１、介設プレート９の配置作業、及び第２締結具１０、第３締結具８による締結作業を、巻上機５の吊り上げ作業を要することなく簡単に行うことができる。
【００４１】
なお、前述した実施形態は、マシンビーム２の上面フランジの一方の側端近傍部側の締結を従来技術と同様の第１締結具６で行っているが、この部分においても防振プレート１１及び介設プレート９を設け、第２締結具１０及び第３締結具８で締結するように構成してもよい。
【００４２】
すなわち、防振プレート１１を、防振具３の下面板３ｃの一方の側端近傍部との間でマシンビーム２の上面フランジの一方の側端近傍部を狭圧するように配置される第１防振プレートと、防振具３の下面板３ｃの他方の側端近傍部との間でマシンビーム２の上面フランジの他方の側端近傍部を狭圧するように配置される第２防振プレートとによって構成する。
【００４３】
また、介設プレート９を、第１防振プレートと防振具３の下面板３ｃの一方の側端近傍部との間に配置される第１介設プレートと、第２防振プレートと防振具３の下面板３ｃの他方の側端近傍部との間に配置される第２介設プレートとによって構成する。
【００４４】
また、防振具３の下面板３ｃとマシンビーム２の上面フランジとを締結する締結手段を、以下のような４つの締結具によって構成する。
【００４５】
１つ目の締結具は、防振具３の下面板３ｃの一方の側端近傍部に設けた第１貫通穴３ｃ１、第１防振プレートの第３貫通穴１１ａ、及び第１介設プレートの第５貫通穴９ａにそれぞれ挿入されるボルト１０ａと、このボルト１０ａに螺合するナット１０ｂを含み、防振具３の下面板３ｃの一方の側端近傍部と第１介設プレートと第１防振プレートとを互いに締結する第２締結具１０とする。
【００４６】
２つ目の締結具は、防振具３の下面板３ｃの他方の側端近傍部に設けた第１貫通穴３ｃ２、第２防振プレートの第３貫通穴１１ａ、及び第２介設プレートの第５貫通穴９ａにそれぞれ挿入されるボルト１０ａと、このボルト１０ａに螺合するナット１０ｂを含み、防振具３の下面板３ｃの他方の側端近傍部と第２介設プレートと第２防振プレートとを互いに締結する第２締結具１０とする。
【００４７】
３つ目の締結具は、マシンビーム２の上面フランジの一方の側端近傍部に設けた第２貫通穴２ａと第１防振プレートの第４貫通穴１１ｂにそれぞれ挿入されるボルト８ａと、このボルト８ａに螺合するナット８ｂとを含み、マシンビーム２の上面フランジの一方の側端近傍部と第１防振プレートとを互いに締結する第３締結具８とする。
【００４８】
４つ目の締結具は、マシンビーム２の上面フランジの他方の側端近傍部に設けた第２貫通穴２ａと第２防振プレートの第４貫通穴１１ｂにそれぞれ挿入されるボルト８ａと、このボルト８ａに螺合するナット８ｂとを含み、マシンビーム２の上面フランジの他方の側端近傍部と第２防振プレートとを互いに締結する第３締結具８とする。
【００４９】
このように構成したものでは、防振具３の下面板３ｃの一方の側端近傍部側にあっては、第１防振プレート及び第１介設プレートと、第２締結具１０及び第３締結具８との組み合わせによって、また、防振具３の下面板３ｃの他方の側端近傍部側にあっては、第２防振プレート及び第２介設プレートと、第２締結具１０及び第３締結具８との組み合わせによって、防振具３の下面板３ｃをマシンビーム２の上面フランジに締結することができ、さらに堅牢な巻上機５の支持構造を実現させることができる。
【００５０】
なお、前述のように防振プレートとして第１防振プレートと第２防振プレートとを設ける場合、これらの第１防振プレートと第２防振プレートとを、同一の板材から成形加工した一体構造物によって構成してもよい。このように構成したものでは、部品数を低減できるとともに、防振プレートの設置作業を容易に行うことができる。
【００５１】
また、前述した実施形態では、防振具３上に配置したマシンベース受け部７によってマシンベース４を保持する構成にしてあるが、マシンベース受け部７を設けずに、防振具３によって直接マシンベース４を保持する構成にしてもよい。
【符号の説明】
【００５２】
１    機械室床面
２    マシンビーム
２ａ  第２貫通穴
３    防振具
３ａ  防振体
３ｂ  上面板
３ｃ  下面板
３ｃ１  第１貫通穴
３ｃ２  第１貫通穴
４    マシンベース
５    巻上機
６    第１締結具
６ａ  クリップ
６ｂ  ボルト
６ｃ  ナット
７    マシンベース受け部
８    第３締結具
８ａ  ボルト
８ｂ  ナット
９    介設プレート
９ａ  第５貫通穴
１０    第２締結具
１０ａ  ボルト
１０ｂ  ナット
１１    防振プレート
１１ａ  第３貫通穴
１１ｂ  第４貫通穴
【図１】
0005539255.tif 000002
【図２】
0005539255.tif 000003
【図３】
0005539255.tif 000004
【図４】
0005539255.tif 000005
【図５】
0005539255.tif 000006
【図６】
0005539255.tif 000007